(57)【要約】【課題】並列と直列の接続を組み合わせてコイルパターンの電気抵抗値を調整し、熱的な許容値に達しない範囲で電圧感度を上げる。【解決手段】１層目と２層目のコイルパターンＡ，Ｂの外周側末端部をスルーホール１２のａで接続し、１層目から４層目のコイルパターンＡ，Ｂ，Ｃ，Ｄの内周側末端部を１つのスルーホール１２のｂで接続し、３層目と４層目のコイルパターンＣ，Ｄの外周側末端部をスルーホール１２のｃで接続する。それぞれスルーホール１２で接続されたコイルパターンの各末端部は、ランド部１１や他のコイルパターンと接続される。１層目と２層目を並列に接続し、３層目と４層目を並列に接続した各コイルパターンを直列に接続した場合と同じ合成抵抗値になる。これにより、４Ｒだった抵抗値は４分の１のＲになる。同じ電圧を印加しても、コイルパターンに流れる電流が４倍になるために、電圧感度が改善する。【選択図】図８
2006332099.tif 000002
【特許請求の範囲】
【請求項１】
絶縁層を挟んで複数の渦巻状のコイルパターンを層状に配置し、前記コイルパターン同士を接続して形成し、磁界中にある状態で前記コイルパターンに通電させることにより、所定の方向に駆動力を発生させるプリントコイル基板において、
当該基板に形成した前記コイルパターンの接続において一部の前記コイルパターンを並列接続としたことを特徴とするプリントコイル基板。
【請求項２】
層状に配置した前記コイルパターンの内周側末端部同士と外周側末端部同士のそれぞれを接続するスルーホールを備え、前記スルーホールにより隣接する層に形成した前記コイルパターンの接続において一部の前記コイルパターンを並列接続としたこと特徴とする請求項１記載のプリントコイル基板。
【請求項３】
前記コイルパターンを層状に配置した当該基板の最外層に設けたランド部と、前記最外層と隣接する層に設けた前記コイルパターンの内周側末端部と前記ランド部を接続する配線パターンとを備えたことを特徴とする請求項２記載のプリントコイル基板。
【請求項４】
層状に配置した前記コイルパターンの外周側末端部同士を接続するスルーホールを、当該基板の最外層に配置したランド部と重なる位置に設けて接続したことを特徴とする請求項２または３記載のプリントコイル基板。
【請求項５】
層状に配置した前記コイルパターンの末端部同士を接続するスルーホール近傍に、測定機器の先端部を押圧するための前記スルーホールに接続した検査用パッドを設けたことを特徴とする請求項２記載のプリントコイル基板。
【請求項６】
請求項１〜５のいずれか１項に記載のプリントコイル基板を備えたことを特徴とする対物レンズ駆動装置。
【請求項７】
請求項１〜５のいずれか１項に記載のプリントコイル基板と、前記プリントコイル基板に対向して配置し、対向面を複数の磁極に分割した磁石とを備え、
前記プリントコイル基板のコイルパターンを前記磁石の磁極境界を跨ぐ位置と対向配置する場合に、直列接続した前記コイルパターンを有する層を前記磁石から遠くに配置し、並列接続した前記コイルパターンを有する層を前記磁石の近くに配置したことを特徴とする対物レンズ駆動装置。
【請求項８】
対物レンズを挟んで請求項１〜５のいずれか１項に記載のプリントコイル基板をレンズ枠に取り付けた対物レンズ駆動装置において、
前記プリントコイル基板の同一層に前記対物レンズのフォーカス，トラック方向の位置，傾きを制御するための駆動力を発生させるコイルパターンを複数設け、前記コイルパターンの接続において一部の前記コイルパターンを並列接続した部分を、トラック方向に非対象、かつ前記対物レンズを挟み対角に配置したことを特徴とする対物レンズ駆動装置。
【請求項９】
対物レンズを挟んで請求項１〜５のいずれか１項に記載のプリントコイル基板をレンズ枠に取り付けた対物レンズ駆動装置において、
前記プリントコイル基板に駆動力を発生させるため前記コイルパターンの接続構成に通電する接続として、それぞれの前記プリントコイル基板を並列に接続する手段を備えたことを特徴とする対物レンズ駆動装置。
【請求項１０】
請求項７〜９のいずれか１項に記載の対物レンズ駆動装置を備えたことを特徴とする光ピックアップ。
【請求項１１】
請求項７〜９のいずれか１項に記載の対物レンズ駆動装置を備えたことを特徴とする光ディスク装置。
【発明の詳細な説明】
【技術分野】
【０００１】
本発明は、光ディスクに記録，再生を行う装置に用いる、プリントコイル基板、対物レンズ駆動装置、光ピックアップおよび光ディスク装置に関するものである。
【背景技術】
【０００２】
図２４は従来の対物レンズ駆動装置の一例を示す斜視図、また図２５はコイルの配置を説明するために図２４における駆動磁石を外した状態を示す斜視図である。図２４，図２５において、１は対物レンズ、２は対物レンズ１を中央上部に可動部であるレンズ枠、３はレンズ枠２に保持されているフォーカシングコイル、４はレンズ枠２に保持されているトラッキングコイル、５はレンズ枠２を保持する４本のワイヤばね、６は固定部材、７は固定部材６を固定配置したベース、８はフォーカシングコイル３およびトラッキングコイル４に対向配置された駆動磁石を示す。
【０００３】
対物レンズ１を保持するレンズ枠２のジッタ方向における両側側面にはフォーカシングコイル３およびトラッキングコイル４が取り付けられており、中央部にはトラッキングコイル４が配置され、このトラッキングコイル４に対してトラッキング方向両側にはフォーカシングコイル３，３が配置されている。以下、レンズ枠２に対物レンズ１、フォーカシングコイル３およびトラッキングコイル４が取り付けたものを可動部、固定部材６およびベース７等を固定部ということにする。
【０００４】
レンズ枠２のトラッキング方向両側部にジッタ方向を長手方向とするワイヤばね５の一端部が接続され、他端部が固定部材６に固定されることにより、可動部は、固定部に対してワイヤばね５によってフォーカシング方向、トラッキング方向、ラジアルチルト方向に変位可能に片持ち支持されるようになる。各ワイヤばね５はジッタ方向に平行であり、可動部のトラッキング方向両側において２本ずつフォーカシング方向に並列配置されている。
【０００５】
また、駆動磁石８はベース７に一体に形成されたヨーク９，９に固定されている。この駆動磁石８がフォーカシング，トラッキングコイル３，４に対向して所定のギャップを隔てた位置に配置されることによって磁気回路が構成されている。
【０００６】
可動部のフォーカシング，トラッキングコイル３，４にはワイヤばね５を介して外部から電流が供給することが可能なように電気的に接続されており、フォーカシング，トラッキングコイル３，４に電流を供給することによって、対物レンズ１を所望の方向に駆動することができる。
【０００７】
図２６は、図２４に示すフォーカシング，トラッキングコイル３，４の代わりに、フォーカシング，トラッキングコイル３，４の機能を果たす渦巻状の導電パターンを有するコイルパターンが絶縁基板に形成されてなるプリントコイル基板１０を、レンズ枠２に取り付けたものであり、対物レンズ１を駆動させる原理は、図２４に示す装置と同じである。
【０００８】
また、組み付け作業性の向上や、コイル部の軽量化を狙った、プリント基板に渦巻状のパターンを形成したプリントコイル基板１０を取り付けた図２６の対物レンズ駆動装置と原理は同じであり、図２７に示すように、１枚のプリントコイル基板１０を取り付ける形態もある。
【０００９】
図２８，図２９は駆動磁石の着磁パターンの例を示すものであり、中央にフォーカシング方向の着磁境界線ｇを有し、その両側に、フォーカシング方向の着磁境界線とトラッキング方向の着磁境界線からなるＬ字型の着磁境界線ｈ，ｉを有している。図２８に示すパターンは着磁境界線ｇに対して着磁境界線ｈ，ｉが点対称に位置し、図２９に示すパターンは着磁境界線ｇに対して着磁境界線ｈ，ｉが線対称に位置するものである。なお、駆動磁石の着磁パターンにおいて、Ｌ字型の着磁境界線ｈ，ｉを２辺とする矩形の着磁領域を矩形型パターン、駆動磁石においてこの矩形型パターンを形成する磁石を矩形型パターン部、着磁境界線ｇ，ｈ，ｉを含むように囲まれるＬ字型の着磁領域をＬ字型パターン、駆動磁石においてこのＬ字型パターンを形成する磁石をＬ字型パターン部と称することにする。
【００１０】
このように、それぞれのフォーカシング，トラッキングコイル３，４は、着磁境界線を跨ぐように配置されており、フォーカシング，トラッキングコイル３，４は電流を流すことによって、フォーカシングコイル３は、図３０に示すように、フォーカシング方向の推力を発生させ、トラッキングコイル４は、図３１に示すように、トラッキング方向に駆動力が発生する。
【００１１】
ここで、左右のフォーカシングコイル３，３を個別に制御することにより、ラジアル方向に姿勢を制御することも可能である。また取り付け面ごとに、フォーカシング駆動力を個別制御することによりタンジェンシャル方向に対物レンズ１の姿勢を制御することも可能である。さらに、フォーカシングコイル３，３と略同軸にコイルを貼り合わせるなどして、チルトコイルを配置することも提案されている。
【００１２】
また、特許文献１には、磁気回路部と、被駆動体と、被駆動体に一体的に設けられたボイスコイルボビンと、磁気回路部の磁気ギャップ内に配置されたボイスコイルボビンの外周面にボイスコイルボビンの移動方向に並列して巻回されるとともに、互いに並列に接続された第１および第２のボイスコイルとを備え、磁気回路部から発生する磁束およびボイスコイルに供給される駆動電流を有効に利用して、大きな駆動力を持って、能率良く、かつ駆動電流に対し応答性よく被駆動体を駆動させることが記載されている。
【００１３】
また、特許文献２には、コイルの抵抗を減少させて機器に印加される駆動電流を増加させるように、少なくとも２本以上のコイルを巻き取る。これにより、電圧駆動方式のサーボ回路でアクチュエータを駆動時に駆動電流を増加させ、高域感度を増加させること記載されている。
【００１４】
また、特許文献３には、駆動コイルを同一方向に並列に巻回される複数の巻き線により分割して形成し、巻き線１本当たりの巻回数を減らしてインダクタンスを低減するとともに、複数の巻き線が並列に接続されることによる抵抗値の減少を補償して、これにより位相遅れを低減するとともに、過電流を防止することが記載されている。
【００１５】
また、特許文献４には、アクチュエータの対物レンズホルダー上に１組のフォーカシングコイルと１組のトラッキングコイルと１組のチルト調整コイルと配置して４本の導線で接続し、４本の導線のうち３本をフォーカシングコイル制御端、トラッキングコイル制御端、チルト調整コイル制御端として、３組のコイルの接地端を並列接続して残り１本の導線により共通接地端とすることにより、３組のコイルの制御端をそれぞれ回路に接続して、フォーカシング制御、トラッキング制御、チルト調整制御を行うことが記載されている。
【特許文献１】特開平９−１３９９９６号公報
【特許文献２】特開平９−３３０８１２号公報
【特許文献３】特開２０００−２４２９４６号公報
【特許文献４】特開２００１−２７３６５９号公報
【発明の開示】
【発明が解決しようとする課題】
【００１６】
前述したように、磁気回路とこの磁気回路中に配置されるコイルとからなるアクチュエータの駆動力（Ｆ）は、磁気回路中に配置されたコイルを透過する磁束密度（Ｂ）と磁気回路中に配置されるコイルの駆動に有効な部分の長さ（Ｌ）とコイルに供給される電流（Ｉ）の積から、次に示す式「Ｆ＝Ｂ・Ｌ・Ｉ」によって求められる。ここで、磁束密度（Ｂ），長さ（Ｌ），電流（Ｉ）を大きくすれば、大きな駆動力（Ｆ）を得ることができる。
【００１７】
まず、磁束密度（Ｂ）を上げるには、配置する磁石を大きくすること、多量の磁束を発生させる磁石を選択することが考えられる。この場合、磁石のスペースが問題となり、さらに、既存の磁石の残留磁束密度に上限があって、得られる磁束に限界がある。
【００１８】
また、磁石とコイルパターンのギャップを小さくし、コイルを透過する磁束密度を上げることも考えられる。しかし、駆動装置を構成する部品寸法や作業のバラツキにより、磁石とプリントコイル基板の間隔もバラツキが生じることになり、多少のバラツキがあったとしても、磁石とコイルが接触することがないようにするために、必要な隙間は確保しなくてはならないため、この方法にも限界がある。
【００１９】
長さ（Ｌ）を増やすには、コイルパターンの駆動力発生に有効な部分を大きくしたり、コイルパターンの巻き数を増やしたりすればよい。しかし、コイルパターンを配置できるスペースは限られており、それによって巻き数も決まってしまう。限られたスペースに多くの巻き数を得ようとすれば、コイルパターンの線材を細くすることが考えられる。またプリントコイル基板の場合は、線と線の間隔を詰めるようにすることも考えられる。しかし、これらを行うと導線の断面積が狭くなり、導線が長くなるので、コイルパターンの電気抵抗が大きくなってしまい、コイルパターンを流れる電流が低下する問題が生じる。
【００２０】
プリントコイル基板は、コイルパターン作製上の制約として、コイルパターンの間隔や幅を狭くするにも限界があったが、近年の作製技術の進歩により、より細い線を、狭いピッチで形成できるようになってきており、電気抵抗増加を解決できれば、大きな駆動力を得ることができる。電気抵抗を小さくして、駆動電流を大きくする方法として、コイル線材を並列に巻いたり、巻き数の少ないコイルパターンを重ねて配置したり、並列に接続することで、抵抗値を下げることが知られている。しかし、複数の線を並列に巻くと、単線を巻く場合に比べコイルの形が乱れやすいこと、複数のコイルを重ねて取り付けるのは作業が煩雑になるという問題があった。
【００２１】
ところで、磁束密度が一様に分布していれば、図３０，図３１に示すように、トラッキングコイル４で発生するフォーカシング方向の駆動力とフォーカシングコイル３で発生するトラッキング方向の駆動力は、それぞれの位置で、違った方向に駆動力発生することで、相殺される。しかし、図２８や図２９のようなパターンで分割するように着磁すると、フォーカシング，トラッキングコイル３，４が配置される距離での磁束密度（コイル取り付け面に垂直な成分）は、図３２や図３３のように分布する。図３２，図３３に示すように、磁束密度分布から、着磁境界の周辺は、磁束密度の変化が大きいことがわかる。
【００２２】
そのため、わずかでも、磁石とコイルパターンの位置関係がずれると、同じ電流をコイルパターンに流したとしても、発生する駆動力が大きく変化し、制御が難しくなる。着磁境界とコイルパターンの駆動に有効な部分が近づかない構成にすると、駆動装置が大型化してしまう。また、コイルパターンに対向する磁石の面が単極であれば、大きな電流の流れる直列接続部を磁石に近い側の層に配置し、並列接続部を遠い層に配置すれば、駆動力への変換効率がよいが、異なる磁極を跨いでコイルパターンが配置されている場合には、コイルパターンと磁石の位置関係によって発生する駆動力に大きな変動が生じてしまうという問題があった。
【００２３】
本発明は、前記従来技術の問題を解決することに指向するものであり、複雑な配線にすることなくコイルパターンの並列接続と直列接続を組み合わせることにより、容易にプリントコイル基板に形成したコイルパターンの電気抵抗値を調整でき、そのため、熱的な許容値に達しない範囲で電圧感度を上げることができるプリントコイル基板、対物レンズ駆動装置、光ピックアップおよび光ディスク装置を提供することを目的とする。
【課題を解決するための手段】
【００２４】
前記の目的を達成するために、本発明に係る請求項１に記載したプリントコイル基板は、絶縁層を挟んで複数の渦巻状のコイルパターンを層状に配置し、コイルパターン同士を接続して形成し、磁界中にある状態でコイルパターンに通電させることにより、所定の方向に駆動力を発生させるプリントコイル基板において、当該基板に形成したコイルパターンの接続において一部のコイルパターンを並列接続としたことにより、複雑な配線にすることなく、プリントコイル基板におけるコイルパターンの並列接続と直列接続を組み合わせて合成抵抗値を調整でき、熱的な許容値に達しない範囲において電圧感度を上げることができる。
【００２５】
また、請求項２に記載したプリントコイル基板は、請求項１のプリントコイル基板であって、層状に配置したコイルパターンの内周側末端部同士と外周側末端部同士のそれぞれを接続するスルーホールを備え、スルーホールにより隣接する層に形成したコイルパターンの接続において一部のコイルパターンを並列接続としたことにより、コイルパターンをプリントコイル基板の層間で並列接続として合成抵抗値を調整できる。
【００２６】
また、請求項３に記載したプリントコイル基板は、請求項２のプリントコイル基板であって、コイルパターンを層状に配置した当該基板の最外層に設けたランド部と、最外層と隣接する層に設けたコイルパターンの内周側末端部とランド部を接続する配線パターンとを備えたことにより、ランド部の配置の自由度が得られ、当該基板の小型化と対物レンズ近傍にコイルパターンを配置することなくコイルパターンによる熱的な影響を回避した構成ができる。
【００２７】
また、請求項４に記載したプリントコイル基板は、請求項２，３のプリントコイル基板であって、層状に配置したコイルパターンの外周側末端部同士を接続するスルーホールを、当該基板の最外層に配置したランド部と重なる位置に設けて接続したことにより、ランド部の配置の自由度が向上し、当該基板をさらに小型化できる。
【００２８】
また、請求項５に記載したプリントコイル基板は、請求項２のプリントコイル基板であって、層状に配置したコイルパターンの末端部同士を接続するスルーホール近傍に、測定機器の先端部を押圧するためのスルーホールに接続した検査用パッドを設けたことにより、コイルパターンの並列接続における部分的抵抗値が求められ、正確な合成抵抗値のプリントコイル基板を得ることができる。
【００２９】
また、請求項６に記載した対物レンズ駆動装置は、請求項１〜５のいずれか１項に記載のプリントコイル基板を備えたことにより、限られたコイルパターンのスペースで十分な駆動力を得ることができる。
【００３０】
また、請求項７に記載した対物レンズ駆動装置は、請求項１〜５のいずれか１項に記載のプリントコイル基板と、プリントコイル基板に対向して配置し、対向面を複数の磁極に分割した磁石とを備え、プリントコイル基板のコイルパターンを磁石の磁極境界を跨ぐ位置と対向配置する場合に、直列接続したコイルパターンを有する層を磁石から遠くに配置し、並列接続したコイルパターンを有する層を磁石の近くに配置したことにより、磁石とコイルパターンの位置関係のずれに対して発生する駆動力の変動を小さくできる。
【００３１】
また、請求項８に記載した対物レンズ駆動装置は、対物レンズを挟んで請求項１〜５のいずれか１項に記載のプリントコイル基板をレンズ枠に取り付けた対物レンズ駆動装置において、プリントコイル基板の同一層に対物レンズのフォーカス，トラック方向の位置，傾きを制御する駆動力を発生させるコイルパターンを複数備え、コイルパターンの接続において一部のコイルパターンを並列接続した部分を、トラック方向に非対象、かつ対物レンズを挟み対角に配置したことにより、合成抵抗値を細かく調整して電圧感度を調整できる。
【００３２】
また、請求項９に記載した対物レンズ駆動装置は、対物レンズを挟んで請求項１〜５のいずれか１項に記載のプリントコイル基板をレンズ枠に取り付けた対物レンズ駆動装置において、プリントコイル基板に駆動力を発生させるためコイルパターンの接続構成に通電する接続として、それぞれのプリントコイル基板を並列に接続する手段を備えたことにより、当該装置におけるコイルパターンの合成抵抗値を下げることができる。
【００３３】
また、請求項１０に記載した光ピックアップは、請求項７〜９のいずれか１項に記載の対物レンズ駆動装置を備えたことにより、光ディスクに対して記録，再生を高速に行うことできる。
【００３４】
また、請求項１１に記載した光ディスク装置は、請求項７〜９のいずれか１項に記載の対物レンズ駆動装置を備えたことにより、光ディスクに対して記録，再生を高速に行うことできる。
【発明の効果】
【００３５】
本発明によれば、複雑な配線にすることなく、プリントコイル基板におけるコイルパターンの並列接続と直列接続を組み合わせて合成抵抗値を調整でき、熱的な許容値に達しない範囲において電圧感度を上げることができ、光ディスクに対する記録，再生を高速に行うことができるという効果を奏する。
【発明を実施するための最良の形態】
【００３６】
以下、図面を参照して本発明における実施の形態を詳細に説明する。
【００３７】
図１は本発明の実施の形態１におけるプリントコイル基板の２層構成のコイルパターンを示す図であり、図２は４層構成のコイルパターンを示す図である。
図１，図２に示すように、プリントコイル基板はスルーホール１２を介して、層方向に重なるコイルパターンを直列に接続している。図１，図２において、同じアルファベット例えばａとａ’の箇所がスルーホール１２を介して電気的に接続される。
【００３８】
プリントコイル基板において、同一層上に同じ方向に推力を発生させるコイルパターンがある場合には、例えば図３に示すように複数層のうち一層（２層目）に同一層上のコイルパターン同士を接続するように配線し、すべてのコイルパターンが直列に接続される。そのため、抵抗値が大きくなっていた。コイルパターンの抵抗値を小さくするために、図４，図５に示すように、各層において同一層のコイルパターンの外周側末端部同士を接続し、同じ電源端子のランド部１１に接続するコイルパターンにおいて１層目の外周側末端部同士と２層目の外周側末端部同士を接続し、１層目と２層目でそれぞれ重なり合う位置に配置されるコイルパターンの内周側末端部同士もスルーホール１２で接続する。つまり、厚み方向に同じ位置にあるコイルパターンを直列に接続し、同一層にあるコイルパターンとは並列に接続するようにする。
【００３９】
コイルパターンを抵抗として見た場合に、図３に示すコイルパターンＡ，Ａ’，Ｂ，Ｂ’において図６に示すように直列接続されていたものが、図４に示すコイルパターンＡ，Ａ’，Ｂ，Ｂ’では図７に示すように並列接続されることになる。そのため、４Ｒだった抵抗値はＲとなり従来の４分の１になる。同じ電圧を印加しても、コイルパターンに流れる電流が４倍になるために、電圧感度が改善する。
【００４０】
例えば、図８に示すように１層目と２層目のコイルパターンＡ，Ｂの外周側末端部をスルーホール１２のａで接続し、１層目から４層目のコイルパターンＡ，Ｂ，Ｃ，Ｄの内周側末端部を１つのスルーホール１２のｂで接続し、３層目と４層目のコイルパターンＣ，Ｄの外周側末端部をスルーホール１２のｃで接続する。それぞれスルーホール１２で接続されたコイルパターンの各末端部は、ランド部１１や他のコイルパターンと接続される。１層目と２層目を並列に接続し、３層目と４層目を並列に接続した各コイルパターンを直列に接続した場合と同じ合成抵抗値になる。
【００４１】
従来のように、層方向に重なったコイルパターンを直列に接続する場合、図１，図２のように、層方向に隣接するパターン同士は渦を巻く方向が外周から内周または内周から外周へと違っていたが、スルーホール１２を使って、隣接するコイルパターンを並列に接続する場合は、それらのコイルパターンは、同じ方向に渦を巻くように構成できる。また、図９は各層のコイルパターンを抵抗として見た場合の接続構成を示す図である。各層のコイルパターンの抵抗値がすべてＲであるとすると、４層すべてにおける合成抵抗値はＲとなる。抵抗値は直列接続した場合の４分の１になる。
【００４２】
また、プリントコイル基板を３層構成とした場合、図１０に示すように、１層目のコイルパターンＡの外周側末端部と２層目のコイルパターンＢの外周側末端部をスルーホール１２のａで接続し、１層目のコイルパターンＡの内周側末端部と２層目のコイルパターンＢの内周側末端部と３層目のコイルパターンＣの内周側末端部をスルーホール１２のｂで接続し、３層目のコイルパターンＣの外周側末端部は、ランド部１１または別のコイルパターンに電気的に接続する。
【００４３】
各層のコイルパターンＡ，Ｂ，Ｃを抵抗として見た場合、図１１に示すように接続構成されることになる。この構成により合成抵抗値が抑えられ、４層構成にしないと駆動力が得られなかった場合であっても、コイルパターンの幅を狭くして、巻き数を増やすことにより、より少ない層でも同等の駆動力を得られるようになる。駆動磁石から遠い層を使わないことから駆動力への変換効率もよく、基板自体を薄くすることが可能である。
【００４４】
以上のことから、抵抗値が大きくなるために、コイルパターンの幅を広くし、巻き数を減らさざるを得なかったプリントコイル基板の抵抗値を下げることができ、パターン幅を細くピッチを狭めて、巻き数を増やすことができるので、同じ電圧を印加したとしても、より大きな駆動力が得られる。結果、プリントコイル基板において、４層必要であったものを３層にするなど、駆動力を維持したままで、層数を減らすことができる。また、わずかに駆動力が低下するだけならば、可動部に設けるプリントコイル基板の構成層数が減るため、軽量化で補うことができる。
【００４５】
また、プリントコイル基板が５層の場合には、図１２に示すように１，２層目の２つの層と３，４，５層目の３つの層に分けて、内周側と外周側の末端部をスルーホール１２のａ，ｂ，ｃにより接続し、他のコイルパターンあるいはランド部１１に配線する。この場合は、各層のコイルパターンＡ，Ｂ，Ｃ，Ｄ，Ｅを抵抗として見た場合、図１３のように接続されることになる。または、４つの層のコイルパターンを並列に接続して、残りの１層のコイルパターンと接続するように構成することもできる。あるいは、３つの層のコイルパターンを直列に接続し、他の２つの層のコイルパターンを並列に接続するように構成することもできる。
【００４６】
コイルパターンのすべてを並列接続にすると抵抗値が小さくなり過ぎ、過電流のため故障することがありえるが、各層に形成されたコイルパターン同士を接続する際に、直列接続と並列接続を組み合わせることにより、抵抗値調整の自由度を上げることができる。従来のように導線を巻回して作るコイルでは、並列で巻き始めたものを途中で１本の線にすることは難しいが、プリントコイル基板は層構造になっているので、層間の接続によってコイルパターンを直列接続と並列接続の組み合わせることが可能となる。
【００４７】
図１４は本発明の実施の形態２におけるプリントコイル基板の３層構成のトラッキングコイルとフォーカシングコイルの各コイルパターンを示す図である。前述の実施の形態１においては、コイルパターンの外周側末端部同士をスルーホール１２で接続し、そのスルーホール１２とランド部１１とを接続するように構成していたが、図１４に示すように、フォーカシングコイルのコイルパターンの内周側末端部とスルーホール１２のａを介して電気的に接続し、そのコイルパターンの内周側末端部をランド部１１に接続する。層方向に重なり合う位置にあるフォーカシングコイルのコイルパターンの外周側末端部同士は、スルーホール１２のａによって並列接続され、重なり合わない位置にあるコイルパターン同士は外周側末端部同士が２層目に設けられた配線パターン１５により接続される。この場合、図１４においては、配線パターン１５を２層目に設けているが、３層目に設けても問題ない。
【００４８】
最外層（１層目）に設けられたランド部１１と隣接する層のコイルパターンが重なるので、プリントコイル基板を小さくすることができる。また、最外層（１層目）でランド部１１を配置しない部分には、他のコイルパターンを設けるようにすれば、スペース効率のよいプリントコイル基板を作製できる。図１４では、トラッキングコイルのコイルパターンを、実施の形態１において説明した図１０に示したように接続し、このコイルパターンの外周側末端部をランド部１１と接続し、３層構成のコイルパターンを可能にしている。
【００４９】
また、図１５は本発明の実施の形態３におけるプリントコイル基板の３層構成のコイルパターンを示す図である。前述したように、スルーホール１２はコイルパターンを層間で接続するために必要であるが、その分スペースが必要となる。さらに、同一層のコイルパターンを接続するため別に配線パターン１５とのマージンを取る必要があることから、スルーホール１２だけではなくその周辺も、必要スペースとして確保しなくてはならない。そこで、本実施の形態３において、図８や図１０に示したように、１層目のランド部１１と２層目のコイルパターンの外周側末端部を接続するスルーホール１２を別の位置とせずに、図１５に示すように、外周側末端部同士を接続するスルーホール１２をランド部１１の位置に設ける。隣接する層のコイルパターンの外周側末端部をランド部１１の位置まで伸ばして、ランド部１１と重なる位置にスルーホール１２を設けて接続する。これにより、コイルパターンの外周側末端部を接続するスルーホール１２を別の位置に設ける必要がなく、導線の這い回しを簡単にすることができ、基板の面積を広げずに済む。また、ランド部１１は半田付けにより他の導電手段に接続するので、スルーホール１２とランド部１１が同じ位置にあっても支障がない。
【００５０】
図１６は本発明の実施の形態４におけるプリントコイル基板の３層構成のコイルパターンを示す図である。プリントコイル基板を構成するコイルパターンの接続は途中で並列接続と直列接続の接続が変わることから合成抵抗値だけを良否確認するよりも、部分的にも抵抗値を測定して確認した方がよい。そこで、図１６に示すように、最外層（１層目）のスルーホール１２周辺の位置に測定に用いる検査用パッド１６を設ける。通常プリントコイル基板は、ランド部１１にコンタクトプローブを押し当てて、ランド部１１間の抵抗値を測定するが、検査用パッド１６を設けて、検査用パッド１６とランド部１１間の抵抗も測定する。
【００５１】
ランド部１１間の途中に設けた検査用パッド１６により、検査用パッド１６と一方のランド部１１の間と、検査用パッド１６と他方のランド部１１の間の２箇所で、抵抗値を測定することにより、コイルパターンの合成抵抗値がランド部１１間において正しい抵抗値を示す場合であっても、検査用パッド１６と各ランド部１１とのそれぞれの箇所においては、正しい抵抗値にならない場合の不良品を検出することができる。
【００５２】
例えば、一方のランド部１１と検査用パッド１６の間の抵抗値が規定値より大きく、検査用パッド１６と他方のランド部１１の間の抵抗値が規定値より小さい場合でも、一方のランド部１１と他方のランド部１１間の抵抗値が規定値という場合があり、この合成抵抗値だけの測定では、規格に収まってしまう。
【００５３】
さらに、一方のランド部１１と他方のランド部１１間の抵抗値と、各ランド部１１と検査用パッド１６の間の抵抗値を比べることで、正しくコンタクトプローブが接触しているか確認することもできる。
【００５４】
以上のことから、コイルパターンの並列接続と直列接続を組み合わせることにより、容易にプリントコイル基板に形成したコイルパターンの電気抵抗値を調整でき、構成したプリントコイル基板の良否を判別することができる。
【００５５】
また、前述したプリントコイル基板を、図２６や図２８に示したレンズ枠２に取り付け磁気回路中に保持するようにする。巻き線により作られたコイルを取り付けた場合と同様に電流を流す向きや、大きさによって駆動力の方向と大きさを制御できる。コイルパターンを直列にのみ接続したものと比べ、電気抵抗が小さくなることから電圧感度を向上でき、また巻き数を増やすことが可能となり少ない電流で駆動でき、さらに熱の発生を抑えることもできるなどの利点がある。プリントコイル基板は、コイルパターンとコイルパターンの同一層の接続および層間の接続によって、並列接続と直列接続を組み合わせることによりコイルパターンの電気抵抗を調整することが可能となる。
【００５６】
図１７は本発明の実施の形態５におけるコイルパターンの接続構成を示す図である。図１７に示すように、コイルパターンが並列に接続された部分と直列に接続された部分においては流れる電流値が異なる。また、駆動磁石との距離が近いと磁束密度分布のピークの値が大きいために、着磁境界の近傍は磁束密度の変化が大きく、着磁境界から離れると変化は小さくなる。このために、対物レンズの移動に伴って、コイルパターンと駆動磁石の位置関係が変わるので、同じ電流を流しても発生する駆動力が変化する。駆動磁石と距離が近いほど磁束密度の変化が大きいので、電流の大きく流れる直列接続の部分が、駆動磁石に近い部分に配置されると、位置変化によるによる発生駆動力の変動が大きくなってしまう。
【００５７】
そこで、対向する駆動磁石が複数の磁極に分割されて、磁極の境界を跨いで、コイルパターンが配置される場合には、図１０とは逆に図１８に示すように、並列接続部分を駆動磁石に近い側に配置し、遠い側に直列接続したコイルパターンを配置する。具体的には、１層目が駆動磁石から離れた層、３層目が駆動磁石に近い層として配置する。このように、変化率の小さい磁石から遠い層の位置に大きな電流が流れるコイルパターンを配置することで、最大駆動力は小さくなってしまうものの位置変化による発生駆動力の変動を小さくすることができ、安定した駆動制御ができる。
【００５８】
図１９は本発明の実施の形態６における対物レンズ駆動装置の概略構成を示す（ａ）は上面図、（ｂ）はプリントコイル基板を示す図である。本実施の形態６は前述の図２６に示す対物レンズ駆動装置のように、レンズ枠２を挟むように２つのプリントコイル基板１０を取り付けて構成したものである。図１９（ｂ）に示すように、それぞれのプリントコイル基板１０は、左右対称位置に同じ方向に駆動させるためのコイルパターン（フォーカシングコイル）を持つ場合に、一方の片側には並列部分を含み、他方の片側には並列部分を含まないように構成する。図１９（ｂ）に示す例において、プリントコイル基板１０は４層構成のコイルパターン（フォーカシングコイル，トラッキングコイル）の位置を示し、黒く塗られたコイルパターンが並列に接続されているものとする。
【００５９】
それぞれのプリントコイル基板１０は、片側の３つのコイルパターンを並列に接続し、他のコイルパターンとは直列に接続する。このように形成すると、流れる電流の大きさが違うために、例えば図２９に示す対物レンズ駆動装置のようにプリントコイル基板を１枚取り付けるだけの形態では、左右で発生する駆動力が違ってしまうが、対物レンズ１を挟んで、反対側に取り付けたコイルパターンは、図１９（ｂ）に示すように、並列部分が、対角位置にくるように配置すれば、発生する駆動力の差が相殺されるので、レンズ枠２の傾きを抑えることができる。
【００６０】
ここで、１つのコイルパターンの抵抗がすべてＲで、同じであるとすれば、従来の直列接続では、フォーカシングコイルは、全部で１６Ｒだった抵抗値が、１０.６７Ｒに低下するだけで、著しい抵抗値の減少とはならない。また、コイルパターンを細くするなどして、巻き数を増やせば、並列接続による抵抗値の減少も相殺され、従来のドライバ回路を使うことが可能となり、必要な駆動力を得ることもできる。
【００６１】
図２０は本発明の実施の形態７における対物レンズ駆動装置の概略構成を示す斜視図である。図２０に示すように、レンズ枠２に複数のプリントコイル基板１０を取り付け、さらに給電路を兼ねたワイヤばね５とプリントコイル基板１０を電気的に接続する場合、それぞれのプリントコイル基板１０に形成したコイルパターンを並列に接続すれば、コイルパターン全体の合成抵抗値を下げることができる。これにより、例えば、プリントコイル基板１０内の各コイルパターンがすべて直列接続されたものであったとしても、前述したように全体のコイルパターンの合成抵抗値を下げることが可能となる。
【００６２】
ワイヤばね５とプリントコイル基板１０のトラッキングコイル，フォーカシングコイルを接続する場合に、それぞれ直列に配線せずに、図２１に示すようにワイヤばね５からプリントコイル基板１０を並列の接続とする接続バー１７により分岐させて、それぞれのプリントコイル基板１０内で接続されたコイルパターン同士が並列につながるように配線する。図２１に示すように、プリントコイル基板１０において、フォーカシングコイルに接続されたランド部１１同士、トラッキングコイルに接続されたランド部１１同士が、向かい合うように配置して、ワイヤばね５からランド部１１への給電路を接続バー１７により分岐して接続し、反対側も同様とする。図２１に示すように接続することで、プリントコイル基板１０の合成抵抗値を下げることができる。
【００６３】
以上のことから、１つのプリントコイル基板１０内では、コイルパターンは直列に接続されていても、全体は直列に接続された抵抗の列が２つ並列に配列されたものと同じことになり、合成抵抗値を下げることが可能となり、電圧感度を上げることができる。
【００６４】
図２２は本発明の実施の形態８における対物レンズ駆動装置を搭載した光ディスク装置の概略構成を示す図である。
【００６５】
図２２に示すように光ディスク装置２０は、光ディスク１００を回転駆動するためのスピンドルモータ２２、光ピックアップ２３、レーザコントロール回路２４、エンコーダ２５、モータドライバ２７、再生信号処理回路２８、サーボコントローラ３３、バッファＲＡＭ３４、バッファマネージャ３７、インターフェース３８、ＲＯＭ３９、ＣＰＵ４０およびＲＡＭ４１などを備えている。なお、図２２おける矢印は、代表的な信号や情報の流れを示すものであり、各ブロックの接続関係のすべてを表すものではない。
【００６６】
光ピックアップ２３は、例えば波長が６６０ｎｍのレーザ光を出射する半導体レーザ、半導体レーザから出射される光束を光ディスク１００の記録面に導くとともに、この記録面で反射された戻り光束を所定の受光位置まで導く光学系、受光位置に配置され戻り光束を受光する受光器、および図１〜図２１を用いて説明した本発明のプリントコイル基板および対物レンズ駆動装置などを含んで構成されている。そして、受光器からは、その受光量に応じた電流（電流信号）が再生信号処理回路２８に出力される。
【００６７】
また、光ピックアップ２３は、光ディスク１００のスパイラル状または同心円状のトラッキングが形成された記録面に半導体レーザの光束を照射するとともに、記録面からの反射光を受光するための装置である。この光ピックアップ２３は、一例として図２３に示すように、光源ユニット５１、コリメートレンズ５２、ビームスプリッタ５４、対物レンズ６０（前述の実施の形態１〜７において説明した対物レンズ駆動装置の対物レンズ１に相当する）、２つの検出レンズ５８，７２、２つの受光器５９，７３、反射ミラー７１、および駆動系（フォーカシングアクチュエータ、トラッキングアクチュエータおよびシークモータ（いずれも図示せず））などを備えている。
【００６８】
図２３において、５１は波長が約６６０ｎｍのレーザ光を発光する光源としての半導体レーザ５１ａを含んで構成されている光源ユニット、５２は光源ユニット５１から出射された光束を略平行光とするコリメートレンズ、７１はコリメートレンズ５２の近傍に配置され、光源ユニット５１から出射された光束の一部をモニタ用光束として反射する反射ミラー、５４はコリメートレンズ５２で略平行光とされた光束をそのまま透過させるビームスプリッタである。
【００６９】
また、ビームスプリッタ５４は、光ディスク１００で反射され、対物レンズ６０を介して入射する光束（戻り光束）を分岐する。６０はビームスプリッタ５４を透過した光束を光ディスク１００の記録面に集光する対物レンズ、５８はビームスプリッタ５４で分岐された戻り光束を受光器５９の受光面に集光する検出レンズである。また、受光器５９としては、通常の光ディスク装置と同様に、例えば、４つの部分受光素子に分かれた４分割受光素子が用いられている。各部分受光素子はそれぞれ光電変換により受光量に応じた電流信号を生成し再生信号処理回路２８に出力する。
【００７０】
そして、検出レンズ７２は、反射ミラー７１で反射されたモニタ用光束を受光器７３の受光面に集光する。受光器７３は、光電変換により受光量に応じた電流信号を生成し、パワーモニタ信号としてレーザコントロール回路２４に出力する。
【００７１】
また、光ピックアップ２３はさらに半導体レーザから照射されるレーザを生成するためのＬＤ（レーザダイオード：半導体レーザ）ドライバを有する。
【００７２】
再生信号処理回路２８は、光ディスク１００の種類に対応して光ピックアップ２３からの出力信号である電流信号を電圧信号に変換し、該電圧信号に基づいてウォブル信号、再生信号およびサーボ信号（フォーカシングエラー信号、トラッキングエラー信号）などを検出する。そして、再生信号処理回路２８では、ウォブル信号からアドレス情報および同期信号等を抽出する。ここで抽出されたアドレス情報はＣＰＵ４０に出力され、同期信号はエンコーダ２５に出力される。さらに、再生信号処理回路２８では、再生信号に対して誤り訂正処理等を行った後、バッファマネージャ３７を介してバッファＲＡＭ３４に格納する。また、サーボ信号は再生信号処理回路２８からサーボコントローラ３３に出力される。なお、再生信号処理回路２８では、ＣＰＵ４０の指示により、光ディスクの種類に対応したサーボパラメータ（例えば、信号レベル調整用ゲインなど）を設定する。
【００７３】
サーボコントローラ３３は、サーボ信号に基づいて光ピックアップ２３を制御する制御信号を生成し、モータドライバ２７に出力する。バッファマネージャ３７は、バッファＲＡＭ３４へのデータの入出力を管理し、蓄積されたデータ量が所定の値になると、ＣＰＵ４０に通知する。モータドライバ２７は、サーボコントローラ３３からの制御信号およびＣＰＵ４０の指示に基づいて、光ピックアップ２３およびスピンドルモータ２２を制御する。
【００７４】
エンコーダ２５は、ＣＰＵ４０の指示に基づいて、バッファＲＡＭ３４に蓄積されているデータを、バッファマネージャ３７を介して取り出し、エラー訂正コードの付加などを行い、光ディスク１００への書き込みデータを作成する。そして、エンコーダ２５は、ＣＰＵ４０からの指示に基づいて、再生信号処理回路２８からの同期信号に同期して、書き込みデータをレーザコントロール回路２４に出力する。
【００７５】
レーザコントロール回路２４は、エンコーダ２５からの書き込みデータに基づいて、光ピックアップ２３からのレーザ光出力を制御する。すなわち、レーザコントロール回路２４は、ＬＤドライバ２３ａを駆動制御する。インターフェース３８は、ホスト（例えば、パーソナルコンピュータ）との双方向の通信インターフェースであり、ＡＴＡＰＩ（AT Attachment Packet Interface）およびＳＣＳＩ（Small Computer System Interface）等の標準インターフェースに準拠している。ＲＯＭ３９には、ＣＰＵ４０にて解読可能なコードで記述されたプログラムが格納されている。
【００７６】
ＣＰＵ４０は、ＲＯＭ３９に格納されているプログラムにしたがって各部の動作を制御するとともに、制御に必要なデータ等を一時的にＲＡＭ４１に保存する。なお、光ディスク装置２０に電源が投入されると、ＲＯＭ３９に格納されている各プログラムは、ＣＰＵ４０のメインメモリ（図示せず）にロードされる。
【００７７】
このように構成された各実施の形態１〜７で説明したプリントコイル基板および対物レンズ駆動装置を光ピックアップに組み込み、また、その光ピックアップを光ディスク装置に組み込むことにより、プリントコイル基板おとび対物レンズ駆動装置は、限られた大きさで、対物レンズを高速に駆動できるので、光ピックアップ，光ディスク装置としての性能を上げることができ、性能の安定した光ピックアップおよび光ディスク装置を提供することができる。
【産業上の利用可能性】
【００７８】
本発明に係るプリントコイル基板、対物レンズ駆動装置、光ピックアップおよび光ディスク装置は、複雑な配線にすることなく、プリントコイル基板におけるコイルパターンの並列接続と直列接続を組み合わせて合成抵抗値を調整でき、熱的な許容値に達しない範囲において電圧感度を上げることができ、光ディスクに対する記録，再生を高速に行う装置に有用である。
【図面の簡単な説明】
【００７９】
【図１】本発明の実施の形態１におけるプリントコイル基板の２層構成のコイルパターンを示す図
【図２】本実施の形態１におけるプリントコイル基板の４層構成のコイルパターンを示す図
【図３】本実施の形態１における他の２層構成のコイルパターンを示す図
【図４】本実施の形態１における他の２層構成のコイルパターンにおける接続例を示す図
【図５】本実施の形態１における他の２層構成のコイルパターンにおける他の接続例を示す図
【図６】図３に示すコイルパターンの接続例を説明する図
【図７】図４に示すコイルパターンの接続例を説明する図
【図８】本実施の形態１における４層構成のコイルパターンにおける接続例を示す図
【図９】図９に示すコイルパターンの接続例を説明する図
【図１０】本実施の形態１におけるプリントコイル基板の３層構成のコイルパターンを示す図
【図１１】図１０に示すコイルパターンの接続例を説明する図
【図１２】本実施の形態１におけるプリントコイル基板の５層構成のコイルパターンを示す図
【図１３】図１２に示すコイルパターンの接続例を説明する図
【図１４】本発明の実施の形態２におけるプリントコイル基板の３層構成のトラッキングコイルとフォーカシングコイルの各コイルパターンを示す図
【図１５】本発明の実施の形態３におけるプリントコイル基板の３層構成のコイルパターンを示す図
【図１６】本発明の実施の形態４におけるプリントコイル基板の３層構成のコイルパターンを示す図
【図１７】本発明の実施の形態５におけるコイルパターンの接続構成を説明する図
【図１８】本実施の形態５におけるプリントコイル基板の３層構成のコイルパターンを示す図
【図１９】本発明の実施の形態６における対物レンズ駆動装置の概略構成を示す（ａ）は上面図、（ｂ）はプリントコイル基板を示す図
【図２０】本発明の実施の形態７における対物レンズ駆動装置の概略構成を示す斜視図
【図２１】本実施の形態７における対物レンズ駆動装置のコイルパターンの電気的接続を説明する図
【図２２】本発明の実施の形態８における対物レンズ駆動装置を搭載した光ディスク装置の概略構成を示す図
【図２３】本実施の形態８における光ディスク装置に搭載した光ピックアップの概略構成を示す図
【図２４】従来の対物レンズ駆動装置の一例を示す斜視図
【図２５】図２４の駆動磁石を外した状態を示すコイルの配置を説明する斜視図
【図２６】図２４の対物レンズ駆動装置にプリントコイル基板を搭載した斜視図
【図２７】他の対物レンズ駆動装置にプリントコイル基板を搭載した斜視図
【図２８】駆動磁石の着磁パターンの例を示す説明図
【図２９】駆動磁石の着磁パターンの例を示す説明図
【図３０】フォーカシングコイルによって発生する推力の説明図
【図３１】トラッキングコイルによって発生する推力の説明図
【図３２】図２８に示す着磁パターンにおける磁束密度の分布を示す説明図
【図３３】図２９に示す着磁パターンにおける磁束密度の分布を示す説明図
【符号の説明】
【００８０】
１，６０  対物レンズ
２  レンズ枠
３  フォーカシングコイル
４  トラッキングコイル
５  ワイヤばね
６  固定部材
７  ベース
８  駆動磁石
９  ヨーク
１０  プリントコイル基板
１１  ランド部
１２  スルーホール
１５  配線パターン
１６  検査用パッド
１７  接続バー
２０  光ディスク装置
２２  スピンドルモータ
２３  光ピックアップ
２４  レーザコントロール回路
２５  エンコーダ
２７  モータドライバ
２８  再生信号処理回路
３３  サーボコントローラ
３４  バッファＲＡＭ
３７  バッファマネージャ
３８  インターフェース
３９  ＲＯＭ
４０  ＣＰＵ
４１  ＲＡＭ
５１  光源ユニット
５１ａ  半導体レーザ
５２  コリメートレンズ
５４  ビームスプリッタ
５８，７２  検出レンズ
５９，７３  受光器
７１  反射ミラー
１００  光ディスク
【図１】
2006332099.tif 000003
【図２】
2006332099.tif 000004
【図３】
2006332099.tif 000005
【図４】
2006332099.tif 000006
【図５】
2006332099.tif 000007
【図６】
2006332099.tif 000008
【図７】
2006332099.tif 000009
【図８】
2006332099.tif 000010
【図９】
2006332099.tif 000011
【図１０】
2006332099.tif 000012
【図１１】
2006332099.tif 000013
【図１２】
2006332099.tif 000014
【図１３】
2006332099.tif 000015
【図１４】
2006332099.tif 000016
【図１５】
2006332099.tif 000017
【図１６】
2006332099.tif 000018
【図１７】
2006332099.tif 000019
【図１８】
2006332099.tif 000020
【図１９】
2006332099.tif 000021
【図２０】
2006332099.tif 000022
【図２１】
2006332099.tif 000023
【図２２】
2006332099.tif 000024
【図２３】
2006332099.tif 000025
【図２４】
2006332099.tif 000026
【図２５】
2006332099.tif 000027
【図２６】
2006332099.tif 000028
【図２７】
2006332099.tif 000029
【図２８】
2006332099.tif 000030
【図２９】
2006332099.tif 000031
【図３０】
2006332099.tif 000032
【図３１】
2006332099.tif 000033
【図３２】
2006332099.tif 000034
【図３３】
2006332099.tif 000035